(57)【特許請求の範囲】
【請求項１】
地下室の擁壁を構成するプレキャストコンクリート壁部材であって、全体板状に形成されるとともに、下面に下方に突出する複数の鉄筋部材が当該壁部材の長手方向に並べて設けられており、
建設現場の所定位置に設置される際に、前記複数の鉄筋部材が当該壁部材の面外方向両側に交互に折り曲げられ、前記下面がレベル調整材上に載置されるとともに、前記折り曲げられた鉄筋部材が前記地下室底面位置に予め配筋しておいた鉄筋に結合されることを特徴とする地下室の擁壁用プレキャストコンクリート壁部材。
【請求項２】
請求項１に記載の地下室の擁壁用プレキャストコンクリート壁部材において、長手方向の両端部にはコンクリート充填部が形成されていることを特徴とする地下室の擁壁用プレキャストコンクリート壁部材。
【請求項３】
請求項２に記載の地下室の擁壁用プレキャストコンクリート壁部材において、他のプレキャストコンクリート壁部材の前記コンクリート充填部の開口と対応する部位に凹部が形成されていることを特徴とする地下室の擁壁用プレキャストコンクリート壁部材。
【請求項４】
請求項１〜３のいずれかに記載の地下室の擁壁用プレキャストコンクリート壁部材において、側面を貫通する人通孔が形成されていることを特徴とする地下室の擁壁用プレキャストコンクリート壁部材。
【発明の詳細な説明】
【０００１】
【産業上の利用分野】
本発明は、地下室の擁壁として使用するプレキャストコンクリート壁部材に関する。
【０００２】
【背景技術】
新しい居住方式の実現等の要望から地下室を備えた建物が増えている。
建物の地下室をつくる際、まず地下室用の縦穴を掘削しそこに擁壁を設け地下室の外部を形成する。次いで縦穴の擁壁外周に土を入れ、埋め戻し作業を行っている。
一方、予め工場で型枠にコンクリートスラリーを打設して製造するプレキャストコンクリート（以下、ＰＣという）製の壁部材が知られており、このＰＣ製の壁部材は地下室の擁壁として使用されることがある。
【０００３】
【発明が解決しようとする課題】
ところで、建物の基礎は立上がり部とフーチン部とで構成され、このフーチン部を設けることにより基礎の安定性が保証されている。
このような基礎よりも高さ寸法が高い前記擁壁には、基礎よりさらに高い安定性が望まれる。しかし、擁壁に基礎と同様にフーチン部を設けた場合、擁壁の高さ寸法が高いためフーチン部を加えた全体の重量が重くなり、輸送時や組み立て時等に取扱いにくいという問題が生じる。
【０００４】
本発明の目的は、フーチン部がなくても安定して設置できるとともに、輸送時や組み立て時等の取扱いが容易となる地下室の擁壁用プレキャストコンクリート壁部材を提供することにある。
【０００５】
【課題を解決するための手段】
本発明に係る地下室の擁壁用ＰＣ壁部材は、全体板状に形成されるとともに、下面に下方に突出する複数の鉄筋部材が当該壁部材の長手方向に並べて設けられており、建設現場の所定位置に設置される際に、前記複数の鉄筋部材が当該壁部材の面外方向両側に交互に折り曲げられ、前記下面がレベル調整材上に載置されるとともに、前記折り曲げられた鉄筋部材が前記地下室底面位置に予め配筋しておいた鉄筋に結合されることを特徴とするものである。
【０００６】
この地下室の擁壁用ＰＣ壁部材において、長手方向の両端部にコンクリート充填部を形成してもよい。
【０００７】
本発明において、ＰＣ壁部材には他のＰＣ製壁部材のコンクリート充填部の開口と対応する部位に凹部を設けてもよく、また、側面を貫通する人通孔を形成してもよい。
【０００８】
【作用】
このような本発明では、ＰＣ壁部材の下面に設けた鉄筋部材は、ＰＣ壁部材を地下室用の縦穴に設置するとき折り曲げられ、かつ、縦穴の底部に配置された鉄筋等に結合されるため、ＰＣ壁部材はフーチン部がなくても安定して設置され、また、フーチン部がないのでその分の重量が軽くなり、これにより、輸送時や組み立て時等の取扱いが容易となる。
【０００９】
このＰＣ壁部材において、長手方向の両端部にコンクリート充填部が形成されている場合には、充填部を他のＰＣ壁部材に当接させ、このコンクリート充填部にコンクリートスラリーを打設すれば、このスラリーがコンクリート充填部を通じて他のＰＣ壁部材に絡み付いた状態で固化し、これによりＰＣ壁部材同士を容易かつ強固に結合できる。
【００１０】
このＰＣ壁部材において、他のＰＣ壁部材のコンクリート充填部の開口と対応する部位に凹部を設けてある場合には、コンクリート充填部内にコンクリートスラリーを打設したとき、コンクリートスラリーが凹部にも入り込むためスラリーが絡み付く部分が多くなり、これにより、ＰＣ壁部材同士の結合がより強固に行える。
また、ＰＣ壁部材に側面を貫通する人通孔を形成した場合には、この人通孔から作業者が出入りして内部で各種の作業を行える。
【００１１】
【実施例】
以下に本発明の一実施例を図面に基づいて説明する。
図１，２には、地下室２を備えた建物１が示され、この建物１における地下室２の擁壁と基礎３とはＰＣ連結板４で連結されている。本実施例に係るＰＣ壁部材はこのような地下室２の擁壁として使用されるものであり、また、基礎３を構成する基礎材も、本実施例ではＰＣ製となっている。
【００１２】
基礎３は、複数のＰＣ基礎材２０を建物１の間取り形状に対応させて形成されている。このＰＣ基礎材２０の両端部２０Ａは断面コ字状となっており、その内部がコンクリート充填部２０Ｓとなっている。このようなＰＣ基礎材２０の両端下部は、根切り部の底に配置したＰＣレベル調整板２３の上に載せられるようになっている。また、ＰＣ基礎材２０の下部にはフーチン部２０Ｃが形成され、側面には人通孔２０Ｂが明けられている。
なお、図１では、ＰＣ基礎材２０の大きさ等は異なっているが、それぞれの構造はまったく同一なので符号は同じとしてある。
【００１３】
前記ＰＣ連結板４の下面は一端部４Ａ側と他端部４Ｂ側とを結ぶ傾斜部４Ｃ、言い換えれば、基礎３側から地下室２側に下り勾配となる傾斜部４Ｃを有し、全体形状がいわゆるハンチ状に形成されている。
このようなＰＣ連結板４の長さ方向両端部４Ｄは断面コ字状となっており、その内部はコンクリート充填部４Ｓとなっている。また、側面には人通孔４Ｅが明けられている。
【００１４】
前記ＰＣ壁部材１０〜１４は、前述のように地下室２の擁壁として使用されるものであり、図３に代表的なＰＣ壁部材１０が示されている。このＰＣ壁部材１０は側面ほぼ長方形状に形成され、その両端部１０Ａは、図４に示すＰＣ壁部材１４の両端部１４Ａと同様に断面コ字状となっており、その内部はコンクリート充填部１０Ｓとなっている。
【００１５】
また、ＰＣ壁部材１０においてコンクリート充填部１０Ｓの奥に該当する面１０Ｃには、図４に示すＰＣ壁部材１４の凹部１４Ｄと同様の複数の凹部１０Ｄが形成され、この凹部１０Ｄは、ＰＣ壁部材１０の高さ方向に所定間隔で形成されている。このため、一つのＰＣ壁部材１０を他のＰＣ壁部材と当接させ、充填部１０Ｓにコンクリートスラリー（モルタル）を打設すれば、スラリーは凹部１０Ｄ内にも入り込むためスラリーが絡み付く部分が多くなり、これにより、これらのＰＣ壁部材１０同士がより強固に結合されることになる。
また、ＰＣ壁部材１０の側面には角形の人通孔１０Ｂが明けられ、作業者はこの人通孔１０Ｂから出入りできるようになっている。
【００１６】
このＰＣ壁部材１０の下面には、その長手方向に所定間隔で複数本の鉄筋部材３５が埋設され、その先端は下方に突出している。この鉄筋部材３５は、図５に示すように、地下室用の縦穴１５にＰＣ壁部材１０を設置するとき折り曲げられており、その先端は、縦穴１５の底部に縦横に配置された多数の鉄筋１６と結合されるようになっている。また、ＰＣ壁部材１０は縦穴１５の底部に配置されたＰＣレベル調整板１７の上に載せられる。
【００１７】
図１の右側上部に示すＰＣ壁部材１１は、上記ＰＣ壁部材１０より長さ寸法が短いだけで、両者１１，１０の構造はまったく同じである。従って、両端部１１Ａは断面コ字状となっており、その内部はコンクリート充填部１１Ｓとなっている。
ＰＣ壁部材１１と角部同士が結合するＰＣ壁部材１２は、片側にのみコンクリート充填部１２Ｓが形成されており、図中下端のＰＣ壁部材１３にはコンクリート充填部が形成されていない。
これらのＰＣ壁部材１１〜１３の下面にも図示しないが前記鉄筋部材３５と同様の鉄筋部材が設けられ、また、コンクリート充填部１１Ｓ，１２Ｓには、図示しないが前記凹部１０Ｃと同様の凹部が形成されている。
【００１８】
このようなＰＣ壁部材１０で形成された地下空間には、図１に示すように仕切り壁も兼ねたＰＣ壁部材１４が適宜配置されているが、このＰＣ壁部材１４はＰＣ壁部材１１とまったく同じものが使用されている。従って、下面には、記鉄筋部材１２と同様の図示しない鉄筋部材が設けられているとともに、両端部１４Ａも断面コ字状となっており、その内部はコンクリート充填部１４Ｓを形成し、また、前記凹部１０Ｃと同様の凹部を有する。
【００１９】
ＰＣ壁部材１３を除くＰＣ壁部材１０〜１４のコンクリート充填部１０Ｓ〜１４Ｓ内には、図４に示すように、例えば鉄筋３０を梯子状に組んだ枠部材３１が挿入されるようになっている。従って、枠部材３１を挿入した後、コンクリート充填部１０Ｓ〜１３Ｓ内にコンクリートスラリーを打設すれば、スラリーが枠部材３１にも絡み付くため、スラリーの固化によって、例えばＰＣ壁部材１０と１４との結合が強固となる。
【００２０】
図４に示すように、例えばＰＣ壁部材１４とＰＣ壁部材１０との結合か所において、ＰＣ壁部材１４のコンクリート充填部１４Ｓにおける開口部と対応するＰＣ壁部材１０の部位には、ＰＣ壁部材１０の高さ方向に所定間隔で角状の複数の凹部１２Ｄが形成されている。この凹部１０Ｄは、前記ＰＣ壁部材１４の凹部１４Ｄとほぼ対向している。従って、ＰＣ壁部材１４の端部１４ＡをＰＣ壁部材１０の側面に押し当てた後、ＰＣ壁部材１４のコンクリート充填部１４Ｓ内にコンクリートスラリーを打設すれば、このスラリーが凹部１０Ｄにも入り込むためスラリーの絡み付く部分が多くなり、、ＰＣ壁部材１４，１０同士の結合がより強固となる。
【００２１】
また、図１に示すように、ＰＣ壁部材１１のコンクリート充填部１１Ｓと対応するＰＣ壁部材１２の一端部、およびＰＣ壁部材１０のコンクリート充填部１０Ｓと対応するＰＣ壁部材１３の両端部の部位にも、図示しないが前記凹部１２Ｃと同様の凹部が形成されている。
【００２２】
このような地下室２、基礎３、ＰＣ連結部材４は次のように設けられる。
すなわち、基礎３においては、根切り部２１の底部に適宜捨てコンを打設し、その後、ＰＣ基礎材２０のフーチン部２０Ｃを捨てコンの上に載せるとともに、両端部をＰＣレベル板２３の上に設置し、ＰＣ基礎材２０と根切り部２１の埋め戻し部２２に土を入れ、埋め戻し作業を行う。
【００２３】
基礎３の施工完了後に、ＰＣ連結板４をその一端面４Ａを基礎３の所定位置のＰＣ基礎材２０に当接させるとともに、下面４１の傾斜部４１Ｃを縦穴１５の斜面に沿わせて配置する。このとき、ＰＣ連結板４の鉄筋部材４２を折り曲げ、かつ、縦穴１５の底部の鉄筋１６と絡ませるとともに結合させ、ＰＣ連結板４を固定する。
【００２４】
次いで、縦穴１５の底部のＰＣレベル板１７上に、ＰＣ壁部材１０〜１４を設置する。このとき、基礎３側に位置するＰＣ壁部材１０をＰＣ連結板４の他端面４Ｂと当接させるとともに、各ＰＣ壁部材１０〜１４の下面に伸びた鉄筋部材を折り曲げ、縦穴１５の鉄筋１６に絡ませて結合させる。
【００２５】
この後、地下室２とＰＣ壁部材１０との間に配置されているＰＣ連結板４のコンクリート充填部４Ｓ内に枠部材３１を挿入するとともに、コンクリートスラリーを打設する。一方で、地下室２の縦穴１５において、ＰＣレベル板１７から所定寸法厚さとなるようにコンクリートスラリーを打設し、地下室２の床面２Ａを形成する。また、ＰＣ連結板４の傾斜部４Ｃの下部にもコンクリートスラリーを打設し、このスラリーでＰＣ連結板４の傾斜部４１Ｃのフーチン部１８を形成する。
次いで、縦穴１５の埋め戻し部１９に土を入れ埋め戻し作業を行う。ただし、地下室２と基礎３との間の埋め戻し部１９’には土を入れず、そのままの状態としておく。
【００２６】
そして、このような基礎３の上に、例えばパネル工法による地上建物６を載せ、地下室２の上にも同様の地上建物７を載せ、これにより、前記地下室付き建物１を建てる。
なお、地下室２は図示しない階段等で地上建物７等と出入りできるようにして例えば居室等として使用してもよく、あるいは地上からスロープを形成して地下室２に行けるようにして車庫等に利用してもよい。
【００２７】
前述のような本実施例によれば次のような効果がある。
すなわち、ＰＣ壁部材１０〜１４にはフーチン部がないので、その分の重量だけＰＣ壁部材１０〜１３の重量が軽くなり、これにより、輸送時や組み立て時等の取扱いが容易となる。
【００２８】
また、ＰＣ壁部材１０〜１４に設けた鉄筋部材３５は、ＰＣ壁部材１０〜１４を地下室用の縦穴１５に設置するとき折り曲げられ、かつ、縦穴１５の底部に配置された鉄筋１６に結合されるため、ＰＣ壁部材１０〜１４はフーチン部がなくても安定して設置される。
【００２９】
さらに、ＰＣ壁部材１０等の長手方向の両端部１０Ａ等にはコンクリート充填部１０Ｓ等が形成され、この充填部１０Ｓ等の奥に該当する部分には、凹部１０Ｃ等が形成されており、このコンクリート充填部１０Ｓ等にコンクリートスラリーを打設すれば、スラリーは凹部１０Ｃ等にも入り込むためスラリーの絡み付く部分が多くなるので、ＰＣ壁部材１０〜１４同士を強固に結合できる。
【００３０】
また、ＰＣ壁部材１０〜１４同士の結合か所で、例えばコンクリート充填部１４Ｓ等と対応するＰＣ壁部材１０の側面には、凹部１０Ｄが設けられているので、ＰＣ壁部材１４をＰＣ壁部材１０の側面に押し当て、コンクリート充填部１４Ｓ内にコンクリートスラリーを打設すれば、コンクリートスラリーが凹部１２Ｃに入り込んで絡みつき、その状態で固化するため、ＰＣ壁部材同士の結合がより強固に行える。その上、ＰＣ壁部材１０〜１４のコンクリート充填部１０Ｓ〜１４Ｓ内には、枠部材３１が挿入されるため、コンクリートスラリーが枠部材３１にも絡み付き、これにより、各壁部材１０等の結合がより強固となる。
【００３１】
また、ＰＣ壁部材１０〜１４に側面を貫通する人通孔１０Ｂ等を形成してあるので、作業者は人通孔１０Ｂ等からも出入りでき、これにより、地下室内部で各種の作業を行える。
【００３２】
なお、本発明は前述の実施例に限定されるものではなく、本発明の目的を達成できる範囲であれば次に示すような変形例を含むものである。
例えば、前記実施例では、地下室２の擁壁として使用されるＰＣ壁部材１０〜１４は、ＰＣ基礎材２０からなる基礎３にＰＣ連結板４で連結されているが、これに限らず、ＰＣ壁部材１０〜１４を現場施工で形成した基礎とを現場施工で形成した連結板で連結してもよい。
【００３３】
また、前記実施例では、ＰＣ壁部材１０の側面、ＰＣ壁部材１２の一端部、ＰＣ壁部材１３の両端部に形成した凹部１０Ｃ等は、壁部材１０，１２，１３の高さ方向に所定間隔で形成されるものとしたが、これに限らず、例えば、高さ方向に連続する凹部でもよく、また、凹部１０Ｃ等の形状も前記実施例のように角形でなく例えば丸形としてもよい。本発明では、要するに、ＰＣ壁部材１０，１１等のコンクリート充填部１０Ｓ，１１Ｓ等と対応し、コンクリート充填部１０Ｓ，１１Ｓにコンクリートスラリーが打設されたとき、ＰＣ壁部材１０〜１４同士の結合が強固となるような凹部であればよい。
【００３４】
さらに、前記実施例では、ＰＣ壁部材１０〜１２および１４のコンクリート充填部１０Ｓ〜１２Ｓおよび１４Ｓの奥に該当する面に凹部１０Ｃ等を形成したが、この凹部１０Ｃ等は必ずしも設けなくてもよい。しかし、凹部１０Ｃ等を設けた場合には、コンクリートスラリーが凹部１０Ｃ等内にも入り込むため、ＰＣ壁部材１０〜１４同士の結合がより強固になるという効果が得られる。
【００３５】
【発明の効果】
以上で説明したように、本発明によれば、ＰＣ壁部材の下面に設けた鉄筋部材は、ＰＣ壁部材を地下室用の縦穴に設置するとき折り曲げられ、かつ、縦穴の底部に配置された鉄筋等に結合されるため、ＰＣ壁部材はフーチン部がなくても安定して設置され、また、フーチン部がないのでその分の重量が軽くなり、これにより、輸送時や組み立て時等の取扱いが容易となる。
【００３６】
また、ＰＣ壁部材の両端部にコンクリート充填部が形成されているので、充填部を他のＰＣ壁部材に当接させ、このコンクリート充填部にコンクリートスラリーを打設すれば、スラリーが両ＰＣ壁部材に絡みついた状態で固化するため、ＰＣ壁部材同士の結合が容易かつ強固に行える。
【図面の簡単な説明】
【図１】本発明の一実施例に係る基礎と地下室とが連結された状態を示す平面図である。
【図２】図１におけるＩＩ−ＩＩ線断面図である。
【図３】本実施例の代表的なＰＣ壁部材を示す正面図である。
【図４】本実施例のＰＣ壁部材同士の結合前の状態を示す斜視図である。
【図５】本実施例のＰＣ壁部材の設置状態を示す断面図である。
【符号の説明】
１  建物
２  地下室
３  基礎
４  連結板
１０〜１４  地下室の擁壁用としてのＰＣ壁部材
１０Ａ，１１Ａ，１２Ａ，１３Ａ，１４Ａ  ＰＣ壁部材の両端部
１０Ｓ，１１Ｓ，１３Ｓ，１４Ｓ  コンクリート充填部
１０Ｄ  コンクリート充填部と対応する凹部
３５  鉄筋部材
【図１】
0003607324.tif 000002
【図２】
0003607324.tif 000003
【図３】
0003607324.tif 000004
【図４】
0003607324.tif 000005
【図５】
0003607324.tif 000006